(57)【要約】【課題】  既設足場の骨組みを形成している丸パイプ材の必要な場所に必要に応じて設置することができ、その設置や取外しも必要に応じて短時間で容易に行うことのできる足場用仮設ステップを提供する。【解決手段】  ステップ本体１０とステップ本体１０を既設足場の骨組みを形成している丸パイプ材１００に着脱するための取付け具５０とを備える。取付け具５０が、固定側の第１部材６０と開閉可能な可動側の第２部材７０とを有する。第２部材７０を第１部材６０に締め付ける締付け部材８０をさらに有する。締付け部材８０は、ねじ付き軸体８１にナット体８２をねじ込んでなる。【選択図】        図１
0003136604.tif 000002
【実用新案登録請求の範囲】
【請求項１】
足が乗せ掛けられるステップ本体とこのステップ本体を既設足場の骨組みを形成している丸パイプ材に着脱するための取付け具とを備え、
上記取付け具が、上記ステップ本体に固着された固定側の第１部材と、この第１部材に開閉可能に基端部がヒンジ結合された可動側の第２部材とを有して、第２部材を開いた状態では丸パイプ材の長手方向任意箇所に対して嵌込み離脱自在とされていると共に、その取付け具にさらに、第１部材に対して閉じられて上記丸パイプ材を抱持している上記第２部材を上記第１部材に締め付けて当該取付け具を上記丸パイプ材に結合するための締付け部材が追加されていることを特徴とする足場用仮設ステップ。
【請求項２】
上記締付け部材が、上記第１部材に揺動可能にヒンジ結合されて上記第２部材の自由端部に具備された二股部に嵌脱可能なねじ付き軸体と、このねじ付き軸体にねじ込まれているナット体とを有している請求項１に記載した足場用仮設ステップ。
【請求項３】
上記ステップ本体に、作業員に連結されている安全帯のフックが摺動自在に係止される縦通レールを取付け可能なレール固定具の取付部が備わっている請求項１又は請求項２に記載した足場用仮設ステップ。
【請求項４】
上記取付部が、上記レール固定具に具備されているねじ込みボルトの相手方要素であるねじ孔を備えている請求項３に記載した足場用仮設ステップ。
【請求項５】
上記レール固定具が、上記ねじ込みボルト、そのねじ込みボルトに固着された固定側の第１部材と、この第１部材に開閉可能に基端部がヒンジ結合された可動側の第２部材とを有して、第２部材を開いた状態では上記縦通レールの長手方向任意箇所に対して嵌込み離脱自在とされていると共に、その取付け具にさらに、第１部材に対して閉じられて上記縦通レールを抱持している第２部材を第１部材に締め付けて当該レール固定具を上記縦通レールに結合するための締付け部材が追加されている請求項４に記載した足場用ステップ。
【請求項６】
レール固定具において、その締付け部材が、その第１部材に揺動可能にヒンジ結合されてその第２部材の自由端部に具備された二股部に嵌脱可能なねじ付き軸体と、このねじ付き軸体にねじ込まれているナット体とを有している請求項５に記載した足場用仮設ステップ。
【請求項７】
上記ステップ本体は、上記第１部材が固着されている内辺部を有する平面視多角形環状の枠体でなり、この枠体の上記内辺部に対向している外辺部の上縁が凹凸状の滑り止め縁として形成されている請求項１ないし請求項６のいずれか１項に記載した足場用仮設ステップ。
【考案の詳細な説明】
【技術分野】
【０００１】
本考案は、足場用仮設ステップ、特に、仮設対象が既設足場の骨組みを形成している丸パイプ材である足場用仮設ステップに関する。
【背景技術】
【０００２】
解体現場や建築現場などでは、解体作業や建設作業に先立って足場を枠組みすることが行われる。そのような足場には、その骨組みとして、丸パイプ材を枠組みしたものが多く用いられている。また、丸パイプ材を用いて構築された既設の足場（既設足場）には、鳶職人や解体工職人、ペンキ塗装職人などの作業員の移動や作業の助けになる仮設足場を必要に応じて設置することが行われ、そのような仮設足場の使用は足場を用いる解体・建築作業では不可欠なものである。
【０００３】
一般的に、移動や作業を行うために既設足場に必要に応じて設置される仮設足場には横行通路を形成するための布板や階段、梯子などがあって、それらは、５００ｍｍ以上の幅の設置スペースを確保することができる場所であれば設置が可能であるとされている。しかしながら、既設足場に対しては、常に上記した程度の幅を確保することができるとは限らない。たとえば、そのような足場として、家屋と家屋との間の狭い隙間や道路に面した場所に設置されている既設足場などがある。また、既設足場に用いられる丸パイプ材の骨組みでは、左右又は上下に隣接する丸パイプ同士の間隔によっては、既成の布板や階段、梯子の長さが丸パイプ材同士の間隔に適合しない場合も生じ、その場合には、たとえ５００ｍｍ以上の幅の設置スペースを確保できているとしても、それらの仮設足場を設置することができない。
【０００４】
そこで、従来は、仮設足場を設置できない既成足場において作業員などが移動するときには、作業員がやむなく既設足場の骨組みを形成している丸パイプ材をよじ登ったり滑り下りたりすることが多々行われていた。また、５００ｍｍ以上の幅の設置スペースを確保できるにもかかわらず、既成の仮設足場の長さが丸パイプ材同士の間隔に適合しない場合には、丸パイプ材を番線などで既設足場に無理に取り付けて仮設足場を設置するということも行われていた。
【０００５】
一方、従来より、仮設足場としての階段を組み立てることに用いられる足場パイプ用ステップ器具として、階段ステップ固定金具に蝶番式クランプを設けたものが提案されている（たとえば、特許文献１参照）。このものでは、傾斜させて設置した丸パイプ材に蝶番式クランプをクランプボルトで結合すると、階段ステップ固定金具が丸パイプ材から水平に張り出し、その上に階段ステップ板を設置することができるようになっている。
【０００６】
また、仮設足場としての昇降用ステップ又は建設用タラップとして、建築物の柱自体に設置することができるものが知られている（たとえば、特許文献２、特許文献３参照）。これらは、建築物の鉄柱に設置するための手段が、鉄柱側に固定される固定側部材と昇降用ステップ又は建設用タラップ側に設けられる着脱部材とに分割されていて、鉄柱側にあらかじめ多段に取り付けた固定側部材に対して、個別に着脱部材を取り付けて昇降用ステップ又は建設用タラップを設置するというものである。
【特許文献１】特開平７−１３９１５０号公報
【特許文献２】特開平８−２５４０９２号公報
【特許文献３】実開平１−１７１９００号公報
【考案の開示】
【考案が解決しようとする課題】
【０００７】
しかしながら、５００ｍｍ以上の幅の設置スペースを確保することのできない場所で作業員がやむなく既設足場の骨組みを形成している丸パイプ材をよじ登ったり滑り下りたりすることには多大な危険が伴う。また、特許文献２や特許文献３によって提案されているものは、取り付ける対象が建築物の鉄柱などであり、しかも、設置するための手段が固定側部材と着脱部材とに分割されているので、丸パイプ材を骨組みに用いた既設足場に取り付けることができないばかりか、あらかじめ固定側部材を鉄柱に固定しておく必要があるので、作業員が必要なときに必要な場所に簡易に設置することができないという不便がある。
【０００８】
これに対し、特許文献１の足場パイプ用ステップ器具に見られるように、蝶番式クランプを採用したものでは、丸パイプ材にその蝶番式クランプを必要に応じて固定することができるという利便がある。しかし、このものは、設置可能な場所が、５００ｍｍ以上の幅の設置スペースを確保できる場所に限られてしまい、家屋と家屋との間の狭い隙間や道路に面した場所に設置されている既設足場などには設置することができないことが多い。
【０００９】
本考案は、以上の状況の下でなされたものであり、既設足場の骨組みを形成している丸パイプ材の必要な場所に必要に応じて設置することができ、しかも、その設置や取外しを必要に応じて短時間で容易に行うことのできる足場用仮設ステップを提供することを目的とする。
【００１０】
また、本考案は、既設足場の骨組みを形成している丸パイプ材の必要な場所に必要に応じて短時間で容易に設置することができる上に、作業員が移動の安全性を確保することに用いられる安全帯を連結するための縦通レールを必要に応じて取り付けることのできる対策を講じた足場用仮設ステップを提供することを目的とする。
【課題を解決するための手段】
【００１１】
本考案に係る足場用仮設ステップは、足が乗せ掛けられるステップ本体とこのステップ本体を既設足場の骨組みを形成している丸パイプ材に着脱するための取付け具とを備えている。そして、上記取付け具が、上記ステップ本体に固着された固定側の第１部材と、この第１部材に開閉可能に基端部がヒンジ結合された可動側の第２部材とを有して、第２部材を開いた状態では丸パイプ材の長手方向任意箇所に対して嵌込み離脱自在とされていると共に、その取付け具にさらに、第１部材に対して閉じられて上記丸パイプ材を抱持している上記第２部材を上記第１部材に締め付けて当該取付け具を上記丸パイプ材に結合するための締付け部材が追加されている。
【００１２】
このように構成された足場用仮設ステップによれば、固定側の第１部材と可動側の第２部材とを有する取付け具を、既設足場の骨組みを形成している丸パイプ材の必要な場所に必要に応じて嵌め込むことができ、そのように嵌め込んでから締付け部材で第２部材を第１部材に対して締め付けるだけで容易に短時間で仮設ステップを取り付けることが可能になる。また、締付け部材を緩めて取付け具を丸パイプ材を取り外すことも短時間で容易に行うことができるので、仮設ステップの取付け場所を変更することも容易である。
【００１３】
本考案では、上記締付け部材が、上記第１部材に揺動可能にヒンジ結合されて上記第２部材の自由端部に具備された二股部に嵌脱可能なねじ付き軸体と、このねじ付き軸体にねじ込まれているナット体とを有していることが望ましい。これによれば、取付け具を構成するための全要素、具体的には第１部材、第２部材、ねじ付き軸体及びナット体が、すべてステップ本体に一体に具備されるので、余分にナットやボルトを持ち歩く必要がないという利点がある。
【００１４】
本考案では、上記ステップ本体に、作業員に連結されている安全帯のフックが摺動自在に係止される縦通レールを取付け可能なレール固定具の取付部が備わっていることが望ましい。これによれば、丸パイプ材に適宜取り付けたステップ本体に、必要に応じて縦通レールを取り付け、その縦通レールに作業員が安全帯を連結して移動や作業の安全性を確保することが適宜可能になる。
【００１５】
本考案では、上記取付部が、上記レール固定具に具備されているねじ込みボルトの相手方要素であるねじ孔を備えているという構成を採用することができ、その場合には、上記レール固定具が、上記ねじ込みボルト、そのねじ込みボルトに固着された固定側の第１部材と、この第１部材に開閉可能に基端部がヒンジ結合された可動側の第２部材とを有して、第２部材を開いた状態では上記縦通レールの長手方向任意箇所に対して嵌込み離脱自在とされていると共に、その取付け具にさらに、第１部材に対して閉じられて上記縦通レールを抱持している第２部材を第１部材に締め付けて当該レール固定具を上記縦通レールに結合するための締付け部材が追加されているという構成を採用することが可能である。また、レール固定具において、その締付け部材が、その第１部材に揺動可能にヒンジ結合されてその第２部材の自由端部に具備された二股部に嵌脱可能なねじ付き軸体と、このねじ付き軸体にねじ込まれているナット体とを有していることが望ましい。これによれば、レール固定具を構成するための全要素、具体的には第１部材、第２部材、ねじ付き軸体及びナット体が、すべてレール固定具に一体に具備されるので、余分にナットやボルトを持ち歩く必要がないという利点がある。
【００１６】
本考案において、上記ステップ本体は、上記第１部材が固着されている内辺部を有する平面視多角形環状の枠体でなり、この枠体の上記内辺部に対向している外辺部の上縁が凹凸状の滑り止め縁として形成されていることが望ましい。これによれば、ステップ本体の上で作業したりステップ本体を利用して昇降したりしている作業員が、足を滑らせて落下するという危険性が軽減される。
【考案の効果】
【００１７】
以上のように、本考案によれば、既設足場の骨組みを形成している丸パイプ材の必要な場所に必要に応じて設置することができ、しかも、その設置や取外しを必要に応じて短時間で容易に行うことのできる足場用仮設ステップを提供することが可能になる。そして、この足場用仮設ステップは、５００ｍｍ以上の幅の設置スペースを確保することのできない場所、たとえば家屋と家屋との間の隙間や道路に面した場所のように狭い設置スペースしか確保することのできない場所であっても使用することができるという利点を有している。
【００１８】
そのため、従来は設置スペースの関係で横行通路や階段、梯子などを設置することができなかった場所にも必要に応じて設置することができるようになり、作業員にとっては、丸パイプ材をよじ登ったり滑り下りたりするという危険な作業から解放されるようになる。また、丸パイプ材を番線などで既設足場に無理に取り付けて仮設足場を設置するという面倒で煩わしい作業を行う必要もなくなる。
【００１９】
このように、本考案に係る足場用仮設ステップは、足場の骨組みを形成している丸パイプ材の任意の場所での取付け取外し、取付け位置の変更などを必要に応じて自由に行うことができるために、解体・建築作業の効率化や安全性を大幅に向上させることに役立つ。これらのことから、既設足場の設置箇所に幅の広い設置スペースを確保することが困難なことの多い我が国の解体現場や建築現場では、作業員が安全に効率よく作業を行うことのできる本考案に係る仮設ステップは非常に有益なものになる。
【００２０】
特に、ステップ本体にレール固定具の取付部が備わっているものでは、足場の骨組みを形成している丸パイブ材に取り付けたステップ本体を利用して縦通レールを取り付け、その縦通レールに作業員の安全帯を連結しておくことにより、作業員の移動や作業の安全性を高めることが可能になるという効果が奏される。
【考案を実施するための最良の形態】
【００２１】
図１は本考案に係る仮設ステップＡの概略平面図、図２はステップ本体１０の概略斜視図、図３は取付け具５０の概略斜視図、図４は使用状態説明図である。
【００２２】
図１のように、この仮設ステップＡは、ステップ本体１０と、このステップ本体１０に固着されている取付け具５０とを備えていて、仮設ステップＡを構成している要素のすべてが一体に具備されている。そのため、作業員は、仮設ステップＡを丸パイプ材に取り付けるためのナットやボルトを余分に持ち歩く必要がないという利点を持っている。
【００２３】
図１又は図２のように、ステップ本体１０は、帯状平鋼板に折曲げ加工や溶接加工を講じることよって平面視多角形環状の枠体によって形成されている。図例のステップ本体１０を形成している枠体では、その全体形状が横長多角形に形成されていて、その辺部は、内辺部１１とそれに対向している外辺部１５、及び、内辺部１１と外辺部１５との間に亘る左右の側辺部１８，１８に大別することができる。さらに具体的には、内辺部１１と左右の側辺部１８，１８とが、１枚の帯状平鋼板を折り曲げることによって平面視門形に形成されている。これに対し、外辺部１５は、横長の帯状平鋼板を左右の側辺部１８，１８に溶接で接合することによって形作られている。また、外辺部１５の上縁は凹凸状に加工されて滑り止め縁１６として形成されている。さらに、外辺部１５と左右の側辺部１８，１８とによって形成されている略直角の入隅部分には、それらの外辺部１５と左右の側辺部１８，１８との相互間に亘って傾斜梁１９，１９が設けられている。この傾斜梁１９，１９は、ステップ本体１０を保形する補強材として役立っている。また、ステップ本体１０の内辺部１１、外辺部１５、左右の側辺部１８，１８及び傾斜梁１９，１９などに対しては、作業員に連結されている安全帯の先端のフック（不図示）を係止することができるようになっている。すなわち、内辺部１１、外辺部、左右の側辺部１８，１８及び傾斜梁１９，１９などは、その幅が上記フックを係止可能な幅（たとえば５０ｍｍ程度以下）に定められている。
【００２４】
図１又は図３のように、取付け具５０は、ステップ本体１０を形成している枠体の内辺部１１の横方向中央部に溶接又はボルト・ナットなどの締結具を用いて離脱しないように強固に固着されている。この取付け具５０は、固定側の第１部材６０と可動側の第２部材７０とを有しているほか、第１部材６０に対して第２部材７０を締め付けるための締付け部材８０とを有している。第１部材６０は平面視略Ｌ形に形成されている。この第１部材６０は、ステップ本体１０を形成している枠体の内辺部１１の横方向中央部に固着されている。そして、ステップ本体１０から後方へ突き出ている一端部に、第２部材７０の基端部が縦軸９１によって開閉方向に揺動可能にヒンジ結合されている。そして、第２部材７０を開いた状態で丸パイプ材（後述する）の長手方向任意箇所に対して嵌込み離脱自在とされている。第１部材６０の他端部に、ねじ付き軸体８１の基部が縦軸９２によって揺動可能にヒンジ結合されている。このねじ付き軸体８１はナット体８２と共に締付け部材８０を形成していて、ナット体８２はねじ付き軸体８１に常にねじ込まれている。この取付け具５０において、第１部材６０と第２部材７０とには、後述する丸パイプ材の外周面を挟むための円弧状の押圧面６１，７１が備わっている。さらに、第２部材７０には、その自由端部に二股部７２が備わっていて、この二股部７２に対して上記ねじ付き軸体８１が嵌脱可能になっている。
【００２５】
以上のように構成されている仮設ステップＡは、既設足場の骨組みを形成している丸パイプ材に取り付けて使用される。取付け作業は、取付け具５０の第２部材７０を縦軸９１を中心にして開き方向に揺動させた状態で、その第２部材７０と第１部材６０との相互間に丸パイプ材を嵌め込み、次に、第２部材７０を縦軸９１を中心にして閉じ方向に揺動させることにより、その第２部材７０と第１部材６０とによって丸パイプ材を抱持させる。この後、ねじ付き軸体８１を縦軸９２を中心にして揺動させて第２部材７０の二股部７２に嵌め込み、ナット体８２をねじ込むことによって第２部材７０を第１部材６０に締め付ける。このようにすると、第１部材６０と第２部材７０との円弧状の押圧面６１，７１が丸パイプ材を挟圧するので、取付け具５０を介して仮設ステップＡが丸パイプ材に取り付けられる。
【００２６】
丸パイプ材から仮設ステップＡを取り外すときには、ナット体８２を緩めた後、ねじ付き軸体８１を第２部材７０の二股部７２から外し、さらに、第２部材７０を開いて第１部材６０と第２部材７０との間から丸パイプ材を離脱させればよい。
【００２７】
図４に示した使用状態のように、足場の骨組みを形成している丸パイプ材１００に仮設ステップＡを取り付けておくと、その仮設ステップＡのステップ本体１０の上に作業員が乗って必要な作業を行うことができるほか、そのステップ本体１０を利用して足場を登っていったり降りたりすることが可能になる。したがって、作業員にとっては、足場の丸パイプ１００をよじ登ったり滑り降りたりする必要がなくなって、作業時の安全性が格段に向上する。
【００２８】
また、図４に示した使用状態では、丸パイプ材１００からの仮設ステップＡの出張り部分がステップ本体１０だけになり、そのステップ本体１０に作業員が足Ｆを乗せ掛けるので、ステップ本体１０の出張り幅を５００ｍｍ以内にすることは容易である。すなわち、ステップ本体１０の出張り幅をたとえば２００ｍｍ程度にしておくことが可能であり、そのようにしておくと、家屋と家屋との間の隙間や道路に面した場所のように狭い設置スペースしか確保することのできない場所であっても、その場所の既設足場に仮設ステップＡを設置して使用することが可能である。また、そのように狭いスペースしか確保することのできない場所であっても、仮設ステップＡの設置場所を自由に変更することもできるので、作業員にとっては作業時の安全性と作業効率を大幅に高めることが可能になる。さらに安全性を高めるためには、作業員に連結されている安全帯の先端のフック（不図示）を、仮設ステップＡを形成している枠体に係止しておくことが有益である。
【００２９】
図５は変形例による仮設ステップＡの概略平面図、図６はレール固定具２００の平面図、図７は図５の仮設ステップＡの使用状態説明図である。
図５の仮設ステップＡでは、基本的な全体の形状ないし構成が図１〜図３を参照して説明した仮設ステップＡと同様になっている。しかし、ステップ本体１０を形成している枠体の具体的構成と、ステップ本体１０にレール固定具２００を着脱することができるようになっている点とが、図１〜図３を参照して説明した仮設ステップＡとは異なっている。
【００３０】
すなわち、変形例による仮設ステップＡについては、ステップ本体１０を形成している枠体が、内辺部１１と傾斜梁１９とを一体に有する形状に曲げ加工された帯状平鋼板と、外辺部１５と左右の側辺部１８，１８とを一体に有する形状に曲げ加工された帯状平鋼板とを溶接で接合することによって平面視多角形環状に形成されている。
【００３１】
また、変形例による仮設ステップＡでは、ステップ本体１０を形成している枠体の左右の側辺部１８，１８のそれぞれに、仮想線で示したレール固定具２００を着脱することができるようになっている。さらに具体的に説明すると、左右それぞれの側辺部１８にねじ孔を有するナット体２１が溶接で固着されていると共に、それらの側辺部１８には、ナット体２１のねじ孔に連通する孔部２２が開設されている。そして、レール固定具２００に備わっているねじ込みボルト２１０を、側辺部１８の外側からナット体２１のねじ孔にねじ込んで、そのレール固定具１８を必要に応じてステップ本体１０に取り付けることができるようになっている。したがって、この事例では、左右それぞれの側辺部１８が、レール固定具２００の取付部２０として構成されている。
【００３２】
図６に示したように、レール固定具２００は、上記したねじ込みボルト２１０と、ねじ込みボルト２１０に固着された固定側の第１部材２２０と、第１部材２２０に開閉可能に基端部がヒンジ結合された可動側の第２部材２３０と、締付け部材２４０とを有している。そして、ねじ込みボルト２１９をステップ本体１０のナット体２１のねじ孔にねじ込んだり取り外したりする作業を介してステップ本体１０に着脱されるようになっている以外は、第１部材２２０や第２部材２３０の構成は、図３を参照して説明した第１部材６０や第２部材７０などと同様の構成を有している。
【００３３】
すなわち、レール固定具２００において、第１部材２２０と第２部材２３０とが、縦軸２２１によって開閉方向に揺動可能にヒンジ結合されている。第１部材２２０の他端部に、ねじ付き軸体２４１の基部が縦軸２２２によって揺動可能にヒンジ結合されている。ねじ付き軸体２４１はナット体２４２と共に締付け部材２４０を形成していて、ナット体２４２はねじ付き軸体２４１に常にねじ込まれている。このレール固定具２００において、第１部材２２０と第２部材２３０とには、後述する縦通レールの外周面を挟むための円弧状の押圧面２２５、２３５が備わっている。さらに、第２部材２３０には、その自由端部に二股部２３６が備わっていて、この二股部２３６に対してねじ付き軸体２４１が嵌脱可能になっている。
【００３４】
図５を参照して説明した仮設ステップＡの使用状態の一例を図７を参照して説明する。同図の使用状態では、足場Ｂの骨組みを形成している丸パイプ材の中で、相隣接段に設置されている水平な２本の丸パイプ材１００，１００の相互間で、垂直な丸パイプ材１１０に多段に亘って仮設ステップＡを取り付けることにより、作業員がそれらの仮設ステップＡを使って昇降することができるようにしてある。そして、最上段の仮設ステップＡと最下段の仮設ステップＡにそれぞれレール固定具２００を取り付けてあり、そのレール固定具２００によって縦通レール１２０を設置してある。縦通レール１２０には、足場Ｂの骨組みを形成している丸パイプ材と同様の丸パイプ材を用いることができる。
【００３５】
こうしておくと、縦通レール１２０に、作業員に連結されている安全帯の先端のフック４００を摺動自在に係止させることが可能になる。したがって、作業員の昇降移動に追従してフック４００が縦通レール１２０を滑って移動するので、作業員は安全に昇降移動したり所定の作業を行うことができるようになる。
【図面の簡単な説明】
【００３６】
【図１】本考案に係る仮設ステップの概略平面図である。
【図２】ステップ本体の概略斜視図である。
【図３】取付け具の概略斜視図である。
【図４】使用状態説明図である。
【図５】変形例による仮設ステップの概略平面図である。
【図６】レール固定具の平面図である。
【図７】図５の仮設ステップの使用状態説明図である。
【符号の説明】
【００３７】
１０  ステップ本体
１１  枠体の内辺部
１５  枠体の外辺部
１６  滑り止め縁
２１  ねじ孔を有するナット体
５０  取付け具
６０  第１部材
７０  第２部材
７２  二股部
８０  締付け部材
８１  ねじ付き軸体
８２  ナット体
１００，１１０  丸パイプ材
１２０  縦通レール
２００  レール固定具
２２０  第１部材
２３０  第２部材
２３６  二股部
２４０  締付け部材
２４１  ねじ付き軸体
２４２  ナット体
【図１】
0003136604.tif 000003
【図２】
0003136604.tif 000004
【図３】
0003136604.tif 000005
【図４】
0003136604.tif 000006
【図５】
0003136604.tif 000007
【図６】
0003136604.tif 000008
【図７】
0003136604.tif 000009